(57)【要約】【課題】本発明は、ペットボトルの蓋部材に装着してペットボトルを所定姿勢に維持させて種々の用途にペットボトルを再利用することができるペットボトル支持具を提供する。【解決手段】本発明のペットボトル支持具１は、ペットボトルＡの蓋部材Ａ１に装着してペットボトルＡを所定姿勢に維持するためのペットボトル支持具であって、ペットボトルＡの蓋部材Ａ１に該蓋部材Ａ１の外周面に形成された突条部Ａ２に係止した状態で外嵌する筒状取付部３と、この筒状取付部３に一体的に設けられた支持部２とからなるので、筒状取付部３をペットボトルＡの蓋部材Ａ１に外嵌させることによってペットボトルＡに簡単に装着でき、上記ペットボトル支持具１を装着されたペットボトルＡは、ペットボトル支持具１によって所定姿勢に安定的に支持される。【選択図】    図１
2004248758.tif 000002
【特許請求の範囲】
【請求項１】
ペットボトルの蓋部材に装着してペットボトルを所定姿勢に維持するためのペットボトル支持具であって、ペットボトルの蓋部材に該蓋部材の外周面に形成された突条部に係止した状態で外嵌する筒状取付部と、この筒状取付部に一体的に設けられた支持部とからなることを特徴とするペットボトル支持具。
【請求項２】
筒状取付部は、その周方向に所定間隔毎に分割されることによって形成された内外方向に弾性変位可能な複数個の係止片を備えており、各係止片の内周面にはペットボトルの蓋部材の突条部に係止可能な係止突部が突設されていることを特徴とする請求項１に記載のペットボトル支持具。
【発明の詳細な説明】
【０００１】
【発明の属する技術分野】
本発明は、使用済みペットボトルを所望姿勢に維持することによって種々の用途に再利用可能にするペットボトル支持具に関する。
【０００２】
【従来の技術】
今日、地球環境の保護の観点から資源の再利用が推進されており、ペットボトルもその一つに挙げられている。そして、ペットボトルの再利用方法としては、例えば、お茶等の飲料の収容容器として用いたり或いは特許公報１に示したような器具を用いて植木鉢として用いる方法が提案されているものの、これら以外の用途に使用済みのペットボトルを再利用したいといった要望があった。
【０００３】
【特許公報１】
実用新案登録第３０８４６０５号
【０００４】
【発明が解決しようとする課題】
本発明は、ペットボトルの蓋部材に装着してペットボトルを所定姿勢に維持させて種々の用途にペットボトルを再利用することができるペットボトル支持具を提供する。
【０００５】
【課題を解決するための手段】
請求項１に記載のペットボトル支持具は、ペットボトルの蓋部材に装着してペットボトルを所定姿勢に維持するためのペットボトル支持具であって、ペットボトルの蓋部材に該蓋部材の外周面に形成された突条部に係止した状態で外嵌する筒状取付部と、この筒状取付部に一体的に設けられた支持部とからなることを特徴とする。
【０００６】
又、請求項２に記載のペットボトル支持具は、請求項１に記載のペットボトル支持具において、筒状取付部は、その周方向に所定間隔毎に分割されることによって形成された内外方向に弾性変位可能な複数個の係止片を備えており、各係止片の内周面にはペットボトルの蓋部材の凸部に係止可能な係止突部が突設されていることを特徴とする。
【０００７】
【作用】
本発明のペットボトル支持具は、その筒状取付部をペットボトルの蓋部材に該蓋部材の外周面に突設された突条部に係止した状態に外嵌させることによってペットボトルに簡単に装着することができ、このペットボトルの蓋部材に取付けたペットボトル支持具によってペットボトルを所望姿勢に確実に支持させて種々の用途に再利用することができる。
【０００８】
【発明の実施の形態】
本発明のペットボトル支持具の一例を図面を参照しつつ説明する。ペットボトル支持具１は、図１及び図２に示したように、下面が平坦面に形成された略一定厚みの平面円形状の支持部２と、この支持部２の上面中央部から垂直上方に向かって突設された一定高さの円筒状取付部３とからなる。
【０００９】
上記円筒状取付部３は、内径がペットボトルＡの蓋部材Ａ１の外径と同一或いは僅かに大きな大きさを有し且つペットボトルＡの蓋部材Ａ１の上下寸法よりも長い上下寸法を有する一定高さの円筒状に形成されている。
【００１０】
そして、上記円筒状取付部３の上半部は、その上端面から上下方向の中央部に達し且つ垂直方向に指向する直状のスリット部３１を４個、周方向に等間隔でもって形成することによって四等分割され、隣接するスリット部３１、３１間の筒状取付部３部分を係止片３２に形成しており、この係止片３２はその基端部を中心にして内外方向に弾性的に変位可能に構成されている。
【００１１】
又、各係止片３２の上端部内面には、その上端から一定長さだけ下方に位置した部分に全幅に亘って断面三角形状の係止突条部３２ａ  が水平方向に指向した状態に突設され、互いに隣接する係止突条部３２ａ  、３２ａ  同士はスリット部３１を介して水平方向に連ねられた状態となっている。
【００１２】
次に、上記ペットボトル支持具１の使用要領について説明する。先ず、図３に示したように、ペットボトルＡの蓋部材Ａ１は、通常、その外周面における上端から一定長さだけ下方に位置した部分に全周に亘って水平方向に円環状の突条部Ａ２が突設されている。
【００１３】
そして、図４に示したような下半部が切除されたペットボトルＡの蓋部材Ａ１を上記ペットボトル支持具１の筒状取付部３内に上方から押し込む。すると、上記ペットボトル支持具１の筒状取付部３の係止片３２は、ペットボトルＡの蓋部材Ａ１の突条部Ａ２によって外方に押圧されて、その基端部を中心にして外方に弾性的に変位し、蓋部材Ａ１の突条部Ａ２を受け入れた後、再び内方に向かって弾性的に元の状態に復帰し、ペットボトルＡの蓋部材Ａ１の突条部Ａ２に筒状取付部３の係止片３２の係止突条部３２ａ  が係止した状態となり、ペットボトル支持具１の筒状取付部３がペットボトルＡの蓋部材Ａ１に着脱自在に外嵌された状態、即ち、図３及び図４に示したように、ペットボトルＡの蓋部材Ａ１にペットボトル支持具１が着脱自在に装着された状態となる。
【００１４】
この状態でペットボトル支持具１を所望箇所に支持部２下面が安定的に当接した状態で載置すると、ペットボトルＡは、ペットボトル支持具１の支持部２によって開口部Ａ３が上方に向けられた上下反転した状態で安定的に支持されており、ペットボトルＡ内に、ボールペンや定規等の筆記用具やその他の小物４を収容することができる。
【００１５】
次に、別の形態のペットボトル支持具について説明する。なお、上記ペットボトルＡと同一構造部分については同一符号を付してその説明を省略する。ペットボトル支持具１’の支持部５は、図５及び図６に示したように、逆碗形状の吸盤部５１とこの吸盤部５１の上端外周面に上方に向かって突設された円筒状の連結部５２とからなる。
【００１６】
なお、上記吸盤部５１は、ゴム等の弾性変形可能な材質から形成されており、吸盤部５１とこの吸盤部５１を吸着させる所望箇所との対向面間に形成された空間部内を吸盤部５１を偏平方向に変形させることによって減圧状態にして所望箇所に吸着可能に構成されている。
【００１７】
一方、上記円筒状取付部３’は、内径がペットボトルＡの蓋部材Ａ１の外径と同一或いは僅かに大きな大きさを有し且つペットボトルＡの蓋部材Ａ１の上下寸法よりも長い上下寸法を有する一定高さの円筒状に形成されている。
【００１８】
そして、上記円筒状取付部３’の上半部は、その上端面から上下方向の略中央部に達し且つ垂直方向に指向する直状のスリット部３１を４個、周方向に等間隔でもって形成することによって四等分割され、隣接するスリット部３１、３１間の筒状取付部３’部分を係止片３２に形成しており、この係止片３２はその基端部を中心にして内外方向に弾性的に変位可能に構成されている。
【００１９】
又、各係止片３２の上端部内面には、その上端から一定長さだけ下方に位置した部分に全幅に亘って断面三角形状の係止突条部３２ａ  が水平方向に指向した状態に突設され、互いに隣接する係止突条部３２ａ  、３２ａ  同士はスリット部３１を介して水平方向に連ねられた状態となっている。
【００２０】
更に、上記円筒状取付部３’は、その下端から支持部５の連結部５２の上下長さに相当する部分において、内径が上記支持部５の連結部５２の外径に等しくなるように縮径されて縮径部３３が形成されている。なお、円筒状取付部３’の上端から縮径部３３の上端面３３ａ  に至るまでの上下長さは、上記ペットボトルＡの蓋部材Ａ１の上下寸法よりも長い長さとなるように形成されている。
【００２１】
そして、上記円筒状取付部３’の縮径部３３における上下方向に貫通している貫通孔３３ｂ  内に上記支持部５の連結部５２を下方から挿入した上で、上記円筒状取付部３’の縮径部３３及び上記支持部５の連結部５２内に一本の連結棒６を水平方向に貫通状態に挿通することによって上記円筒状取付部３’の縮径部３３と上記支持部５の連結部５２とを一体化し、上記円筒状取付部３’の下端部に上記支持部５を一体的に設けてペットボトル支持具１’が構成されている。
【００２２】
次に、上記ペットボトル支持具１’の使用要領について説明する。なお、ペットボトル支持具１’をペットボトルＡの蓋部材Ａ１に着脱自在に取り付ける要領については、図１に示したペットボトル支持具１と同様であるので、その説明は省略する。
【００２３】
このペットボトル支持具１’は、図１に示したペットボトル支持具１と異なり、その支持部５が逆湾形状の吸盤部５１を有しており、この吸盤部５１を所望箇所に着脱自在に吸着させることによって水平面以外の所望箇所に安定的に配設することができる。
【００２４】
即ち、図７に示したように、ペットボトルＡの上端部を除いた部分を上下方向の全長に亘ってＬ字状に切除した上で、このペットボトルＡの蓋部材Ａ１にペットボトル支持具１’を着脱自在に取付ける。
【００２５】
そして、ペットボトルＡの開口部Ａ３’  を上方に向けた状態で、ペットボトル支持具１’の支持部５の吸盤部５１を、例えば、シンクＢの垂直面Ｂ１に着脱自在に吸着固定させることにより、ペットボトルＡをその開口部Ａ３’  が上方を向いた状態にシンクのＢ内に安定的に配設することができ、このペットボトルＡ内にその開口部Ａ３’  を通じてスポンジや石鹸等を安定的に収容しておくことができる。
【００２６】
又、図８に示したように、ペットボトルＡの開口部Ａ３’  を上方に向けた状態で、ペットボトル支持具１’の支持部５の吸盤部５１を、窓枠の垂直面Ｃに着脱自在に吸着固定させることにより、ペットボトルＡをその開口部Ａ３’  が上方を向いた横倒状態に窓際に安定的に配設することができ、このペットボトルＡ内にその開口部Ａ３’  を通じて土を充填し、観葉植物を植えてプランターとしてペットボトルＡを再利用することができる。
【００２７】
【発明の効果】
請求項１に記載のペットボトル支持具は、ペットボトルの蓋部材に装着してペットボトルを所定姿勢に維持するためのペットボトル支持具であって、ペットボトルの蓋部材に該蓋部材の外周面に形成された突条部に係止した状態で外嵌する筒状取付部と、この筒状取付部に一体的に設けられた支持部とからなることを特徴とするので、筒状取付部をペットボトルの蓋部材に外嵌させることによってペットボトルに簡単に装着でき、上記ペットボトル支持具を装着されたペットボトルは、ペットボトル支持具によって所定姿勢に安定的に支持される。
【００２８】
そして、ペットボトルの一部を切除することによってペットボトルに開口部を形成し、この開口部を通じてペットボトル内に所望の物を収容することができ、使用済みペットボトルを種々の用途に用いることができる。
【００２９】
請求項２に記載のペットボトルは、請求項１に記載のペットボトル支持具において、筒状取付部は、その周方向に所定間隔毎に分割されることによって形成された内外方向に弾性変位可能な複数個の係止片を備えており、各係止片の内周面にはペットボトルの蓋部材の突条部に係止可能な係止突部が突設されていることを特徴とするので、筒状取付部内にペットボトルの蓋部材を挿入するといった簡単な操作でもってペットボトルにペットボトル支持具を安定的に且つ確実に装着することができる。
【図面の簡単な説明】
【図１】本発明のペットボトル支持具を示した斜視図である。
【図２】図１のペットボトル支持具を示した縦断面図である。
【図３】図１のペットボトル支持具の使用状態を示した一部縦断面図である。
【図４】図１のペットボトル支持具の使用状態を示した斜視図である。
【図５】本発明のペットボトル支持具の他の一例を示した縦断面図である。
【図６】図５のペットボトル支持具を示した斜視図である。
【図７】図５のペットボトルの使用状態を示した斜視図である。
【図８】図５のペットボトルの使用状態を示した斜視図である。
【符号の説明】
１、１’  ペットボトル支持具
２  支持部
３、３’  円筒状取付部
３１  スリット部
３２  係止片
３２ａ  係止突条部
３３  縮径部
５  支持部
５１  吸盤部
５２  連結部
Ａ  ペットボトル
Ａ１  蓋部材
Ａ２  突条部
【図１】
2004248758.tif 000003
【図２】
2004248758.tif 000004
【図３】
2004248758.tif 000005
【図４】
2004248758.tif 000006
【図５】
2004248758.tif 000007
【図６】
2004248758.tif 000008
【図７】
2004248758.tif 000009
【図８】
2004248758.tif 000010